(57)【要約】【課題】カメラが撮像した複数の入力画像に基づいて生成される出力画像の視認性を向上させること。【解決手段】本発明の実施例に係るショベル６０は、走行動作を行う下部走行体６１と、下部走行体６１に旋回自在に搭載される上部旋回体６３と、上部旋回体６３に取り付けられるブームと、ブームに取り付けられるアームと、上部旋回体６３の三方向を撮像するように上部旋回体６３の左部、右部及び後部の三箇所に搭載されるカメラ２と、上部旋回体６３に搭載される運転室６４と、運転室６４内に設置される表示部５と、表示部５に、下部走行体６１の向きとは無関係に少なくともショベルの左方、右方、及び後方の領域を映し出し、ショベルを上空から見下ろした画像を出力画像として生成するとともに、出力画像に、囲まれた領域Ｒ６、Ｒ７を示す制御部１と、を有する。【選択図】図１１
2020002773.tif 000002
【特許請求の範囲】
【請求項１】
走行動作を行う下部走行体と、
前記下部走行体に旋回自在に搭載される上部旋回体と、
前記上部旋回体に取り付けられ、アタッチメントに含まれるブームと、
前記ブームに取り付けられ、前記アタッチメントに含まれるアームと、
前記上部旋回体の三方向を撮像するように前記上部旋回体の左部、右部、及び後部の三箇所に搭載される撮像装置と、
前記上部旋回体に搭載される運転室と、
前記運転室内に設置される表示部と、
前記表示部に、前記下部走行体の向きとは無関係に少なくともショベルの左方、右方、及び後方の領域を映し出し、ショベルを上空から見下ろした画像を出力画像として生成するとともに、前記出力画像に、囲まれた領域を示す制御部と、を有する、
ショベル。
【請求項２】
前記囲まれた領域は、略円形に示される、
請求項１に記載のショベル。
【請求項３】
走行動作を行う下部走行体と、
前記下部走行体に旋回自在に搭載される上部旋回体と、
前記上部旋回体に取り付けられ、アタッチメントに含まれるブームと、
前記ブームに取り付けられ、前記アタッチメントに含まれるアームと、
前記上部旋回体の三方向を撮像するように前記上部旋回体の左部、右部、及び後部の三箇所に搭載される撮像装置と、
前記上部旋回体に搭載される運転室と、
前記運転室内に設置される表示部と、
前記表示部に、前記下部走行体の向きとは無関係に少なくともショベルの左方、右方、及び後方の領域を映し出し、ショベルを上空から見下ろした画像を出力画像として生成するとともに、前記出力画像において、前記上部旋回体の周囲に存在する物体の上部を、前記物体の下部が表示される位置よりも、ショベルから遠い位置に表示させる制御部と、を有する、
ショベル。
【請求項４】
前記出力画像の周囲に各種情報を表示させる、
請求項１乃至３の何れかに記載のショベル。
【請求項５】
前記表示部に表示される前記出力画像には、空又は地平線の画像が含まれている、
請求項１乃至４の何れかに記載のショベル。
【請求項６】
走行動作を行う下部走行体と、前記下部走行体に旋回自在に搭載される上部旋回体と、前記上部旋回体に取り付けられ、アタッチメントに含まれるブームと、前記ブームに取り付けられ、前記アタッチメントに含まれるアームと、前記上部旋回体の三方向を撮像するように前記上部旋回体の左部、右部、及び後部の三箇所に搭載される撮像装置と、前記上部旋回体に搭載される運転室と、前記運転室内に設置される表示部と、を備えるショベルに搭載される、ショベルの周囲画像生成装置であって、
前記表示部に、前記下部走行体の向きとは無関係に少なくともショベルの左方、右方、及び後方の領域を映し出し、ショベルを上空から見下ろした画像を出力画像として生成するとともに、前記出力画像に、囲まれた領域を示す制御部を有する、
ショベルの周囲画像生成装置。
【請求項７】
前記囲まれた領域は、略円形に示される、
請求項６に記載のショベルの周囲画像生成装置。
【請求項８】
走行動作を行う下部走行体と、前記下部走行体に旋回自在に搭載される上部旋回体と、前記上部旋回体に取り付けられ、アタッチメントに含まれるブームと、前記ブームに取り付けられ、前記アタッチメントに含まれるアームと、前記上部旋回体の三方向を撮像するように前記上部旋回体の左部、右部、及び後部の三箇所に搭載される撮像装置と、前記上部旋回体に搭載される運転室と、前記運転室内に設置される表示部と、を備えるショベルに搭載される、ショベルの周囲画像生成装置であって、
前記表示部に、前記下部走行体の向きとは無関係に少なくともショベルの左方、右方、及び後方の領域を映し出し、ショベルを上空から見下ろした画像を出力画像として生成するとともに、前記出力画像において、前記上部旋回体の周囲に存在する物体の上部を、前記物体の下部が表示される位置よりも、ショベルから遠い位置に表示させる制御部を有する、
ショベルの周囲画像生成装置。
【請求項９】
前記出力画像の周囲に各種情報を表示させる、
請求項６乃至８の何れかに記載のショベルの周囲画像生成装置。
【請求項１０】
前記表示部に表示される前記出力画像には、空又は地平線の画像が含まれている、
請求項６乃至９の何れかに記載のショベルの周囲画像生成装置。
【発明の詳細な説明】
【技術分野】
【０００１】
本発明は、ショベルの上部旋回体に搭載されるカメラが撮像した複数の入力画像に基づいて出力画像を生成するショベル及びショベルの周囲画像生成装置に関する。
【背景技術】
【０００２】
従来、車両周辺を撮像する複数の車載カメラによって撮像された画像のそれぞれを鳥瞰図画像に変換し、それら鳥瞰図画像を繋ぎ合わせた出力画像を運転者に提示する運転支援システムが知られている（例えば、特許文献１参照。）。
【先行技術文献】
【特許文献】
【０００３】
【特許文献１】特開２００７−１０９１６６号公報
【発明の概要】
【発明が解決しようとする課題】
【０００４】
しかしながら、特許文献１に記載の運転支援システムは、旋回動作や掘削を行う建設機械へ搭載されることを想定しておらず、ショベルの運転室に設けるにあたり視認性を向上させることができない。
【０００５】
上述の点に鑑み、カメラが撮像した複数の入力画像に基づいて生成される出力画像の視認性を向上させることが望ましい。
【課題を解決するための手段】
【０００６】
本発明の実施例に係るショベルは、走行動作を行う下部走行体と、前記下部走行体に旋回自在に搭載される上部旋回体と、前記上部旋回体に取り付けられ、アタッチメントに含まれるブームと、前記ブームに取り付けられ、前記アタッチメントに含まれるアームと、前記上部旋回体の三方向を撮像するように前記上部旋回体の左部、右部、及び後部の三箇所に搭載される撮像装置と、前記上部旋回体に搭載される運転室と、前記運転室内に設置される表示部と、前記表示部に、前記下部走行体の向きとは無関係に少なくともショベルの左方、右方、及び後方の領域を映し出し、ショベルを上空から見下ろした画像を出力画像として生成するとともに、前記出力画像に、囲まれた領域を示す制御部と、を有する。
【発明の効果】
【０００７】
上述の手段により、カメラが撮像した複数の入力画像に基づいて生成される出力画像の視認性が向上される。
【図面の簡単な説明】
【０００８】
【図１】本発明に係る画像生成装置の構成例を概略的に示すブロック図である。
【図２】画像生成装置が搭載されるショベルの構成例を示す図である。
【図３】入力画像が投影される空間モデルの一例を示す図である。
【図４】空間モデルと処理対象画像平面との間の関係の一例を示す図である。
【図５】入力画像平面上の座標と空間モデル上の座標との対応付けを説明するための図である。
【図６】座標対応付け手段による座標間の対応付けを説明するための図である。
【図７】平行線群の作用を説明するための図である。
【図８】補助線群の作用を説明するための図である。
【図９】処理対象画像生成処理及び出力画像生成処理の流れを示すフローチャートである。
【図１０】出力画像の表示例（その１）である。
【図１１】出力画像の表示例（その２）である。
【図１２】同色錯視を説明するための図である。
【図１３】同色錯視をもたらす明暗パタンを生成する方法の一例を説明するための図である。
【図１４】図１３の格子模様を出力画像平面上に配置した状態を示す図である。
【図１５】格子模様形成処理の流れを示すフローチャートである。
【図１６】図１１で示される出力画像と、図１１の出力画像に同色錯視をもたらす格子模様が適用された出力画像との違いを表す対比図である。
【図１７】出力画像の表示例（その３）である。
【図１８】二つのカメラのそれぞれの撮像範囲の重複領域における物体の消失防止効果を説明するための図である。
【図１９】図１７で示される出力画像と、図１７の出力画像に同色錯視をもたらす格子模様が適用された出力画像との違いを表す対比図である。
【発明を実施するための形態】
【０００９】
以下、図面を参照しつつ、本発明を実施するための最良の形態の説明を行う。
【００１０】
図１は、本発明に係る画像生成装置１００の構成例を概略的に示すブロック図である。
【００１１】
画像生成装置１００は、例えば、建設機械に搭載されたカメラ２が撮像した入力画像に基づいて出力画像を生成しその出力画像を運転者に提示する装置であって、制御部１、カメラ２、入力部３、記憶部４、及び表示部５で構成される。
【００１２】
図２は、画像生成装置１００が搭載されるショベル６０の構成例を示す図であり、ショベル６０は、クローラ式の下部走行体６１の上に、旋回機構６２を介して、上部旋回体６３を旋回軸ＰＶの周りで旋回自在に搭載している。
【００１３】
また、上部旋回体６３は、その前方左側部にキャブ（運転室）６４を備え、その前方中央部に掘削アタッチメントＥを備え、その右側面及び後面にカメラ２（右側方カメラ２Ｒ、後方カメラ２Ｂ）を備えている。なお、キャブ６４内の運転者が視認し易い位置には表示部５が設置されているものとする。
【００１４】
次に、画像生成装置１００の各構成要素について説明する。
【００１５】
制御部１は、ＣＰＵ（Central Processing Unit）、ＲＡＭ(Random Access Memory)、ＲＯＭ（Read Only Memory）、ＮＶＲＡＭ（Non-Volatile Random Access Memory）等を備えたコンピュータであって、例えば、後述する座標対応付け手段１０及び出力画像生成手段１１のそれぞれに対応するプログラムをＲＯＭやＮＶＲＡＭに記憶し、一時記憶領域としてＲＡＭを利用しながら各手段に対応する処理をＣＰＵに実行させる。
【００１６】
カメラ２は、ショベル６０の周辺を映し出す入力画像を取得するための装置であり、例えば、キャブ６４にいる運転者の死角となる領域を撮像できるよう上部旋回体６３の右側面及び後面に取り付けられる（図２参照。）、ＣＣＤ(Charge Coupled Device)やＣＭＯＳ(Complementary Metal Oxide Semiconductor)等の撮像素子を備えた右側方カメラ２Ｒ及び後方カメラ２Ｂである。なお、カメラ２は、上部旋回体６３の右側面及び後面以外の位置（例えば、前面及び左側面である。）に取り付けられていてもよく、広い範囲を撮像できるよう広角レンズ又は魚眼レンズが装着されていてもよい。
【００１７】
また、カメラ２は、制御部１からの制御信号に応じて入力画像を取得し、取得した入力画像を制御部１に対して出力する。なお、カメラ２は、魚眼レンズ又は広角レンズを用いて入力画像を取得した場合には、それらレンズを用いることによって生じる見掛け上の歪曲やアオリを補正した補正済みの入力画像を制御部１に対して出力するが、その見掛け上の歪曲やアオリを補正していない入力画像をそのまま制御部１に対して出力してもよい。その場合には、制御部１がその見掛け上の歪曲やアオリを補正することとなる。
【００１８】
入力部３は、操作者が画像生成装置１００に対して各種情報を入力できるようにするための装置であり、例えば、タッチパネル、ボタンスイッチ、ポインティングデバイス、キーボード等である。
【００１９】
記憶部４は、各種情報を記憶するための装置であり、例えば、ハードディスク、光学ディスク、又は半導体メモリ等である。
【００２０】
表示部５は、画像情報を表示するための装置であり、例えば、建設機械のキャブ６４（図２参照。）内に設置された液晶ディスプレイ又はプロジェクタ等であって、制御部１が出力する各種画像を表示する。
【００２１】
また、画像生成装置１００は、入力画像に基づいて処理対象画像を生成し、その処理対象画像に画像変換処理を施すことによって周辺障害物との位置関係や距離感を直感的に把握できるようにする出力画像を生成した上で、その出力画像を運転者に提示するようにしてもよい。
【００２２】
「処理対象画像」は、入力画像に基づいて生成される、画像変換処理（例えば、スケール変換、アフィン変換、歪曲変換、視点変換処理等である。）の対象となる画像であり、例えば、地表を上方から撮像するカメラによる入力画像であってその広い画角により水平方向の画像（例えば、空の部分である。）を含む入力画像を画像変換処理で用いる場合に、その水平方向の画像が不自然に表示されないよう（例えば、空の部分が地表にあるものとして扱われないよう）その入力画像を所定の空間モデルに投影した上で、その空間モデルに投影された投影画像を別の二次元平面に再投影することによって得られる、画像変換処理に適した画像である。なお、処理対象画像は、画像変換処理を施すことなくそのまま出力画像として用いられてもよい。
【００２３】
「空間モデル」は、少なくとも、処理対象画像が位置する平面である処理対象画像平面以外の平面又は曲面（例えば、処理対象画像平面に平行な平面、又は、処理対象画像平面との間で角度を形成する平面若しくは曲面である。）を含む、一又は複数の平面若しくは曲面で構成される、入力画像の投影対象である。
【００２４】
なお、画像生成装置１００は、処理対象画像を生成することなく、その空間モデルに投影された投影画像に画像変換処理を施すことによって出力画像を生成するようにしてもよい。また、投影画像は、画像変換処理を施すことなくそのまま出力画像として用いられてもよい。
【００２５】
図３は、入力画像が投影される空間モデルＭＤの一例を示す図であり、図３（Ａ）は、ショベル６０を側方から見たときのショベル６０と空間モデルＭＤとの間の関係を示し、図３（Ｂ）は、ショベル６０を上方から見たときのショベル６０と空間モデルＭＤとの間の関係を示す。
【００２６】
図３で示されるように、空間モデルＭＤは、半円筒形状を有し、その底面内部の平面領域Ｒ１とその側面内部の曲面領域Ｒ２とを有する。
【００２７】
また、図４は、空間モデルＭＤと処理対象画像平面との間の関係の一例を示す図であり、処理対象画像平面Ｒ３は、例えば、空間モデルＭＤの平面領域Ｒ１を含む平面である。なお、図４は、明確化のために、空間モデルＭＤを、図３で示すような半円筒形状ではなく、円筒形状で示しているが、空間モデルＭＤは、半円筒形状及び円筒形状の何れであってもよいものとする。以降の図においても同様である。また、処理対象画像平面Ｒ３は、上述のように、空間モデルＭＤの平面領域Ｒ１を含む円形領域であってもよく、空間モデルＭＤの平面領域Ｒ１を含まない環状領域であってもよい。
【００２８】
次に、制御部１が有する各種手段について説明する。
【００２９】
座標対応付け手段１０は、カメラ２が撮像した入力画像が位置する入力画像平面上の座標と、空間モデルＭＤ上の座標と、処理対象画像平面Ｒ３上の座標とを対応付けるための手段であり、例えば、予め設定された、或いは、入力部３を介して入力される、カメラ２の光学中心、焦点距離、ＣＣＤサイズ、光軸方向ベクトル、カメラ水平方向ベクトル、射影方式等のカメラ２に関する各種パラメータと、予め決定された、入力画像平面、空間モデルＭＤ、及び処理対象画像平面Ｒ３の相互の位置関係とに基づいて、入力画像平面上の座標と、空間モデルＭＤ上の座標と、処理対象画像平面Ｒ３上の座標とを対応付け、それらの対応関係を記憶部４の入力画像・空間モデル対応マップ４０及び空間モデル・処理対象画像対応マップ４１に記憶する。
【００３０】
なお、座標対応付け手段１０は、処理対象画像を生成しない場合には、空間モデルＭＤ上の座標と処理対象画像平面Ｒ３上の座標との対応付け、及び、その対応関係の空間モデル・処理対象画像対応マップ４１への記憶を省略する。
【００３１】
出力画像生成手段１１は、出力画像を生成するための手段であり、例えば、処理対象画像にスケール変換、アフィン変換、又は歪曲変換を施すことによって、処理対象画像平面Ｒ３上の座標と出力画像が位置する出力画像平面上の座標とを対応付け、その対応関係を記憶部４の処理対象画像・出力画像対応マップ４２に記憶し、座標対応付け手段１０がその値を記憶した入力画像・空間モデル対応マップ４０及び空間モデル・処理対象画像対応マップ４１を参照しながら、出力画像における各画素の値（例えば、輝度値、色相値、彩度値等である。）と入力画像における各画素の値とを関連付けて出力画像を生成する。
【００３２】
また、出力画像生成手段１１は、予め設定された、或いは、入力部３を介して入力される、仮想カメラの光学中心、焦点距離、ＣＣＤサイズ、光軸方向ベクトル、カメラ水平方向ベクトル、射影方式等の各種パラメータに基づいて、処理対象画像平面Ｒ３上の座標と出力画像が位置する出力画像平面上の座標とを対応付け、その対応関係を記憶部４の処理対象画像・出力画像対応マップ４２に記憶し、座標対応付け手段１０がその値を記憶した入力画像・空間モデル対応マップ４０及び空間モデル・処理対象画像対応マップ４１を参照しながら、出力画像における各画素の値（例えば、輝度値、色相値、彩度値等である。）と入力画像における各画素の値とを関連付けて出力画像を生成する。
【００３３】
なお、出力画像生成手段１１は、仮想カメラの概念を用いることなく、処理対象画像のスケールを変更して出力画像を生成するようにしてもよい。
【００３４】
また、出力画像生成手段１１は、処理対象画像を生成しない場合には、施した画像変換処理に応じて空間モデルＭＤ上の座標と出力画像平面上の座標とを対応付け、入力画像・空間モデル対応マップ４０を参照しながら、出力画像における各画素の値（例えば、輝度値、色相値、彩度値等である。）と入力画像における各画素の値とを関連付けて出力画像を生成する。この場合、出力画像生成手段１１は、処理対象画像平面Ｒ３上の座標と出力画像平面上の座標との対応付け、及び、その対応関係の処理対象画像・出力画像対応マップ４２への記憶を省略する。
【００３５】
次に、座標対応付け手段１０及び出力画像生成手段１１による具体的な処理の一例について説明する。
【００３６】
座標対応付け手段１０は、例えば、ハミルトンの四元数を用いて、入力画像平面上の座標と空間モデル上の座標とを対応付けることができる。
【００３７】
図５は、入力画像平面上の座標と空間モデル上の座標との対応付けを説明するための図であり、カメラ２の入力画像平面は、カメラ２の光学中心Ｃを原点とするＵＶＷ直交座標系における一平面として表され、空間モデルは、ＸＹＺ直交座標系における立体面として表されるものとする。
【００３８】
最初に、座標対応付け手段１０は、空間モデル上の座標（ＸＹＺ座標系上の座標）を入力画像平面上の座標（ＵＶＷ座標系上の座標）に変換するため、ＸＹＺ座標系の原点を光学中心Ｃ（ＵＶＷ座標系の原点）に並行移動させた上で、Ｘ軸をＵ軸に、Ｙ軸をＶ軸に、Ｚ軸を−Ｗ軸（符号「−」は方向が逆であることを意味する。これは、ＵＶＷ座標系がカメラ前方を＋Ｗ方向とし、ＸＹＺ座標系が鉛直下方を−Ｚ方向としていることに起因する。）にそれぞれ一致させるようＸＹＺ座標系を回転させる。
【００３９】
なお、カメラ２が複数存在する場合、カメラ２のそれぞれが個別のＵＶＷ座標系を有することとなるので、座標対応付け手段１０は、複数のＵＶＷ座標系のそれぞれに対して、ＸＹＺ座標系を並行移動させ且つ回転させることとなる。
【００４０】
上述の変換は、カメラ２の光学中心ＣがＸＹＺ座標系の原点となるようにＸＹＺ座標系を並行移動させた後に、Ｚ軸が−Ｗ軸に一致するよう回転させ、更に、Ｘ軸がＵ軸に一致するよう回転させることによって実現されるので、座標対応付け手段１０は、この変換をハミルトンの四元数で記述することにより、それら二回の回転を一回の回転演算に纏めることができる。
【００４１】
ところで、あるベクトルＡを別のベクトルＢに一致させるための回転は、ベクトルＡとベクトルＢとが張る面の法線を軸としてベクトルＡとベクトルＢとが形成する角度だけ回転させる処理に相当し、その角度をθとすると、ベクトルＡとベクトルＢとの内積から、角度θは、
【００４２】
【数１】
2020002773.tif 000003
で表されることとなる。
【００４３】
また、ベクトルＡとベクトルＢとが張る面の法線の単位ベクトルＮは、ベクトルＡとベクトルＢとの外積から
【００４４】
【数２】
2020002773.tif 000004
で表されることとなる。
【００４５】
なお、四元数は、ｉ、ｊ、ｋをそれぞれ虚数単位とした場合、
【００４６】
【数３】
2020002773.tif 000005
を満たす超複素数であり、本実施例において、四元数Ｑは、実成分をｔ、純虚成分をａ、ｂ、ｃとして、
【００４７】
【数４】
2020002773.tif 000006
で表されるものとし、四元数Ｑの共役四元数は、
【００４８】
【数５】
2020002773.tif 000007
で表されるものとする。
【００４９】
四元数Ｑは、実成分ｔを０（ゼロ）としながら、純虚成分ａ、ｂ、ｃで三次元ベクトル（ａ，ｂ，ｃ）を表現することができ、また、ｔ、ａ、ｂ、ｃの各成分により任意のベクトルを軸とした回転動作を表現することもできる。
【００５０】
更に、四元数Ｑは、連続する複数回の回転動作を統合して一回の回転動作として表現することができ、例えば、任意の点Ｓ（ｓｘ，ｓｙ，ｓｚ）を、任意の単位ベクトルＣ（ｌ，ｍ，ｎ）を軸としながら角度θだけ回転させたときの点Ｄ（ｅｘ，ｅｙ，ｅｚ）を以下のように表現することができる。
【００５１】
【数６】
2020002773.tif 000008
ここで、本実施例において、Ｚ軸を−Ｗ軸に一致させる回転を表す四元数をＱｚとすると、ＸＹＺ座標系におけるＸ軸上の点Ｘは、点Ｘ'に移動させられるので、点Ｘ'は、
【００５２】
【数７】
2020002773.tif 000009
で表されることとなる。
【００５３】
また、本実施例において、Ｘ軸上にある点Ｘ'と原点とを結ぶ線をＵ軸に一致させる回転を表す四元数をＱｘとすると、「Ｚ軸を−Ｗ軸に一致させ、更に、Ｘ軸をＵ軸に一致させる回転」を表す四元数Ｒは、
【００５４】
【数８】
2020002773.tif 000010
で表されることとなる。
【００５５】
以上により、空間モデル（ＸＹＺ座標系）上の任意の座標Ｐを入力画像平面（ＵＶＷ座標系）上の座標で表現したときの座標Ｐ'は、
【００５６】
【数９】
2020002773.tif 000011
で表されることとなり、四元数Ｒがカメラ２のそれぞれで不変であることから、座標対応付け手段１０は、以後、この演算を実行するだけで空間モデル（ＸＹＺ座標系）上の座標を入力画像平面（ＵＶＷ座標系）上の座標に変換することができる。
【００５７】
空間モデル（ＸＹＺ座標系）上の座標を入力画像平面（ＵＶＷ座標系）上の座標に変換した後、座標対応付け手段１０は、カメラ２の光学中心Ｃ（ＵＶＷ座標系上の座標）と空間モデル上の任意の座標ＰをＵＶＷ座標系で表した座標Ｐ'とを結ぶ線分ＣＰ'と、カメラ２の光軸Ｇとが形成する入射角αを算出する。
【００５８】
また、座標対応付け手段１０は、カメラ２の入力画像平面Ｒ４（例えば、ＣＣＤ面）に平行で且つ座標Ｐ'を含む平面Ｈにおける、平面Ｈと光軸Ｇとの交点Ｅと座標Ｐ'とを結ぶ線分ＥＰ'と、平面ＨにおけるＵ'軸とが形成する偏角φ、及び線分ＥＰ'の長さを算出する。
【００５９】
カメラの光学系は、通常、像高さｈが入射角α及び焦点距離ｆの関数となっているので、座標対応付け手段１０は、通常射影（ｈ＝ｆｔａｎα）、正射影（ｈ＝ｆｓｉｎα）、立体射影（ｈ＝２ｆｔａｎ（α／２））、等立体角射影（ｈ＝２ｆｓｉｎ（α／２））、等距離射影（ｈ＝ｆα）等の適切な射影方式を選択して像高さｈを算出する。
【００６０】
その後、座標対応付け手段１０は、算出した像高さｈを偏角φによりＵＶ座標系上のＵ成分及びＶ成分に分解し、入力画像平面Ｒ４の一画素当たりの画素サイズに相当する数値で除算することにより、空間モデルＭＤ上の座標Ｐ（Ｐ'）と入力画像平面Ｒ４上の座標とを対応付けることができる。
【００６１】
なお、入力画像平面Ｒ４のＵ軸方向における一画素当たりの画素サイズをａＵとし、入力画像平面Ｒ４のＶ軸方向における一画素当たりの画素サイズをａＶとすると、空間モデルＭＤ上の座標Ｐ（Ｐ'）に対応する入力画像平面Ｒ４上の座標（ｕ，ｖ）は、
【００６２】
【数１０】
2020002773.tif 000012
【００６３】
【数１１】
2020002773.tif 000013
で表されることとなる。
【００６４】
このようにして、座標対応付け手段１０は、空間モデルＭＤ上の座標と、カメラ毎に存在する一又は複数の入力画像平面Ｒ４上の座標とを対応付け、空間モデルＭＤ上の座標、カメラ識別子、及び入力画像平面Ｒ４上の座標を関連付けて入力画像・空間モデル対応マップ４０に記憶する。
【００６５】
また、座標対応付け手段１０は、四元数を用いて座標の変換を演算するので、オイラー角を用いて座標の変換を演算する場合と異なり、ジンバルロックを発生させることがないという利点を有する。しかしながら、座標対応付け手段１０は、四元数を用いて座標の変換を演算するものに限定されることはなく、オイラー角を用いて座標の変換を演算するようにしてもよい。
【００６６】
なお、複数の入力画像平面Ｒ４上の座標への対応付けが可能な場合、座標対応付け手段１０は、空間モデルＭＤ上の座標Ｐ（Ｐ'）を、その入射角αが最も小さいカメラに関する入力画像平面Ｒ４上の座標に対応付けるようにしてもよく、操作者が選択した入力画像平面Ｒ４上の座標に対応付けるようにしてもよい。
【００６７】
次に、空間モデルＭＤ上の座標のうち、曲面領域Ｒ２上の座標（Ｚ軸方向の成分を持つ座標）を、ＸＹ平面上にある処理対象画像平面Ｒ３に再投影する処理について説明する。
【００６８】
図６は、座標対応付け手段１０による座標間の対応付けを説明するための図であり、図６（Ａ）は、一例として通常射影（ｈ＝ｆｔａｎα）を採用するカメラ２の入力画像平面Ｒ４上の座標と空間モデルＭＤ上の座標との間の対応関係を示す図であって、座標対応付け手段１０は、カメラ２の入力画像平面Ｒ４上の座標とその座標に対応する空間モデルＭＤ上の座標とを結ぶ線分のそれぞれがカメラ２の光学中心Ｃを通過するようにして、両座標を対応付ける。
【００６９】
図６（Ａ）の例では、座標対応付け手段１０は、カメラ２の入力画像平面Ｒ４上の座標Ｋ１を空間モデルＭＤの平面領域Ｒ１上の座標Ｌ１に対応付け、カメラ２の入力画像平面Ｒ４上の座標Ｋ２を空間モデルＭＤの曲面領域Ｒ２上の座標Ｌ２に対応付ける。このとき、線分Ｋ１−Ｌ１及び線分Ｋ２−Ｌ２は共にカメラ２の光学中心Ｃを通過する。
【００７０】
なお、カメラ２が通常射影以外の射影方式（例えば、正射影、立体射影、等立体角射影、等距離射影等である。）を採用する場合、座標対応付け手段１０は、それぞれの射影方式に応じて、カメラ２の入力画像平面Ｒ４上の座標Ｋ１、Ｋ２を空間モデルＭＤ上の座標Ｌ１、Ｌ２に対応付けるようにする。
【００７１】
具体的には、座標対応付け手段１０は、所定の関数（例えば、正射影（ｈ＝ｆｓｉｎα）、立体射影（ｈ＝２ｆｔａｎ（α／２））、等立体角射影（ｈ＝２ｆｓｉｎ（α／２））、等距離射影（ｈ＝ｆα）等である。）に基づいて、入力画像平面上の座標と空間モデルＭＤ上の座標とを対応付ける。この場合、線分Ｋ１−Ｌ１及び線分Ｋ２−Ｌ２がカメラ２の光学中心Ｃを通過することはない。
【００７２】
図６（Ｂ）は、空間モデルＭＤの曲面領域Ｒ２上の座標と処理対象画像平面Ｒ３上の座標との間の対応関係を示す図であり、座標対応付け手段１０は、ＸＺ平面上に位置する平行線群ＰＬであって、処理対象画像平面Ｒ３との間で角度βを形成する平行線群ＰＬを導入し、空間モデルＭＤの曲面領域Ｒ２上の座標とその座標に対応する処理対象画像平面Ｒ３上の座標とが共に平行線群ＰＬのうちの一つに乗るようにして、両座標を対応付ける。
【００７３】
図６（Ｂ）の例では、座標対応付け手段１０は、空間モデルＭＤの曲面領域Ｒ２上の座標Ｌ２と処理対象画像平面Ｒ３上の座標Ｍ２とが共通の平行線に乗るとして、両座標を対応付けるようにする。
【００７４】
なお、座標対応付け手段１０は、空間モデルＭＤの平面領域Ｒ１上の座標を曲面領域Ｒ２上の座標と同様に平行線群ＰＬを用いて処理対象画像平面Ｒ３上の座標に対応付けることが可能であるが、図６（Ｂ）の例では、平面領域Ｒ１と処理対象画像平面Ｒ３とが共通の平面となっているので、空間モデルＭＤの平面領域Ｒ１上の座標Ｌ１と処理対象画像平面Ｒ３上の座標Ｍ１とは同じ座標値を有するものとなっている。
【００７５】
このようにして、座標対応付け手段１０は、空間モデルＭＤ上の座標と、処理対象画像平面Ｒ３上の座標とを対応付け、空間モデルＭＤ上の座標及び処理対象画像平面Ｒ３上の座標を関連付けて空間モデル・処理対象画像対応マップ４１に記憶する。
【００７６】
図６（Ｃ）は、処理対象画像平面Ｒ３上の座標と一例として通常射影（ｈ＝ｆｔａｎα）を採用する仮想カメラ２Ｖの出力画像平面Ｒ５上の座標との間の対応関係を示す図であり、出力画像生成手段１１は、仮想カメラ２Ｖの出力画像平面Ｒ５上の座標とその座標に対応する処理対象画像平面Ｒ３上の座標とを結ぶ線分のそれぞれが仮想カメラ２Ｖの光学中心ＣＶを通過するようにして、両座標を対応付ける。
【００７７】
図６（Ｃ）の例では、出力画像生成手段１１は、仮想カメラ２Ｖの出力画像平面Ｒ５上の座標Ｎ１を処理対象画像平面Ｒ３（空間モデルＭＤの平面領域Ｒ１）上の座標Ｍ１に対応付け、仮想カメラ２Ｖの出力画像平面Ｒ５上の座標Ｎ２を処理対象画像平面Ｒ３上の座標Ｍ２に対応付ける。このとき、線分Ｍ１−Ｎ１及び線分Ｍ２−Ｎ２は共に仮想カメラ２Ｖの光学中心ＣＶを通過する。
【００７８】
なお、仮想カメラ２Ｖが通常射影以外の射影方式（例えば、正射影、立体射影、等立体角射影、等距離射影等である。）を採用する場合、出力画像生成手段１１は、それぞれの射影方式に応じて、仮想カメラ２Ｖの出力画像平面Ｒ５上の座標Ｎ１、Ｎ２を処理対象画像平面Ｒ３上の座標Ｍ１、Ｍ２に対応付けるようにする。
【００７９】
具体的には、出力画像生成手段１１は、所定の関数（例えば、正射影（ｈ＝ｆｓｉｎα）、立体射影（ｈ＝２ｆｔａｎ（α／２））、等立体角射影（ｈ＝２ｆｓｉｎ（α／２））、等距離射影（ｈ＝ｆα）等である。）に基づいて、出力画像平面Ｒ５上の座標と処理対象画像平面Ｒ３上の座標とを対応付ける。この場合、線分Ｍ１−Ｎ１及び線分Ｍ２−Ｎ２が仮想カメラ２Ｖの光学中心ＣＶを通過することはない。
【００８０】
このようにして、出力画像生成手段１１は、出力画像平面Ｒ５上の座標と、処理対象画像平面Ｒ３上の座標とを対応付け、出力画像平面Ｒ５上の座標及び処理対象画像平面Ｒ３上の座標を関連付けて処理対象画像・出力画像対応マップ４２に記憶し、座標対応付け手段１０が記憶した入力画像・空間モデル対応マップ４０及び空間モデル・処理対象画像対応マップ４１を参照しながら、出力画像における各画素の値と入力画像における各画素の値とを関連付けて出力画像を生成する。
【００８１】
なお、図６（Ｄ）は、図６（Ａ）〜図６（Ｃ）を組み合わせた図であり、カメラ２、仮想カメラ２Ｖ、空間モデルＭＤの平面領域Ｒ１及び曲面領域Ｒ２、並びに、処理対象画像平面Ｒ３の相互の位置関係を示す。
【００８２】
次に、図７を参照しながら、空間モデルＭＤ上の座標と処理対象画像平面Ｒ３上の座標とを対応付けるために座標対応付け手段１０が導入する平行線群ＰＬの作用について説明する。
【００８３】
図７（Ａ）は、ＸＺ平面上に位置する平行線群ＰＬと処理対象画像平面Ｒ３との間で角度βが形成される場合の図であり、図７（Ｂ）は、ＸＺ平面上に位置する平行線群ＰＬと処理対象画像平面Ｒ３との間で角度β１（β１＞β）が形成される場合の図である。また、図７（Ａ）及び図７（Ｂ）における空間モデルＭＤの曲面領域Ｒ２上の座標Ｌａ〜Ｌｄのそれぞれは、処理対象画像平面Ｒ３上の座標Ｍａ〜Ｍｄのそれぞれに対応するものとし、図７（Ａ）における座標Ｌａ〜Ｌｄのそれぞれの間隔は、図７（Ｂ）における座標Ｌａ〜Ｌｄのそれぞれの間隔と等しいものとする。なお、平行線群ＰＬは、説明目的のためにＸＺ平面上に存在するものとしているが、実際には、Ｚ軸上の全ての点から処理対象画像平面Ｒ３に向かって放射状に延びるように存在するものとする。なお、この場合のＺ軸を「再投影軸」と称することとする。
【００８４】
図７（Ａ）及び図７（Ｂ）で示されるように、処理対象画像平面Ｒ３上の座標Ｍａ〜Ｍｄのそれぞれの間隔は、平行線群ＰＬと処理対象画像平面Ｒ３との間の角度が増大するにつれて線形的に減少する（空間モデルＭＤの曲面領域Ｒ２と座標Ｍａ〜Ｍｄのそれぞれとの間の距離とは関係なく一様に減少する。）。一方で、空間モデルＭＤの平面領域Ｒ１上の座標群は、図７の例では、処理対象画像平面Ｒ３上の座標群への変換が行われないので、座標群の間隔が変化することはない。
【００８５】
これら座標群の間隔の変化は、出力画像平面Ｒ５（図６参照。）上の画像部分のうち、空間モデルＭＤの曲面領域Ｒ２に投影された画像に対応する画像部分のみが線形的に拡大或いは縮小されることを意味する。
【００８６】
次に、図８を参照しながら、空間モデルＭＤ上の座標と処理対象画像平面Ｒ３上の座標とを対応付けるために座標対応付け手段１０が導入する平行線群ＰＬの代替例について説明する。
【００８７】
図８（Ａ）は、ＸＺ平面上に位置する補助線群ＡＬの全てがＺ軸上の始点Ｔ１から処理対象画像平面Ｒ３に向かって延びる場合の図であり、図８（Ｂ）は、補助線群ＡＬの全てがＺ軸上の始点Ｔ２（Ｔ２＞Ｔ１）から処理対象画像平面Ｒ３に向かって延びる場合の図である。また、図８（Ａ）及び図８（Ｂ）における空間モデルＭＤの曲面領域Ｒ２上の座標Ｌａ〜Ｌｄのそれぞれは、処理対象画像平面Ｒ３上の座標Ｍａ〜Ｍｄのそれぞれに対応するものとし（図８（Ａ）の例では、座標Ｍｃ、Ｍｄは、処理対象画像平面Ｒ３の領域外となるため図示されていない。）、図８（Ａ）における座標Ｌａ〜Ｌｄのそれぞれの間隔は、図８（Ｂ）における座標Ｌａ〜Ｌｄのそれぞれの間隔と等しいものとする。なお、補助線群ＡＬは、説明目的のためにＸＺ平面上に存在するものとしているが、実際には、Ｚ軸上の任意の一点から処理対象画像平面Ｒ３に向かって放射状に延びるように存在するものとする。なお、図７と同様、この場合のＺ軸を「再投影軸」と称することとする。
【００８８】
図８（Ａ）及び図８（Ｂ）で示されるように、処理対象画像平面Ｒ３上の座標Ｍａ〜Ｍｄのそれぞれの間隔は、補助線群ＡＬの始点と原点Ｏとの間の距離（高さ）が増大するにつれて非線形的に減少する（空間モデルＭＤの曲面領域Ｒ２と座標Ｍａ〜Ｍｄのそれぞれとの間の距離が大きいほど、それぞれの間隔の減少幅が大きくなる。）。一方で、空間モデルＭＤの平面領域Ｒ１上の座標群は、図８の例では、処理対象画像平面Ｒ３上の座標群への変換が行われないので、座標群の間隔が変化することはない。
【００８９】
これら座標群の間隔の変化は、平行線群ＰＬのときと同様、出力画像平面Ｒ５（図６参照。）上の画像部分のうち、空間モデルＭＤの曲面領域Ｒ２に投影された画像に対応する画像部分のみが非線形的に拡大或いは縮小されることを意味する。
【００９０】
このようにして、画像生成装置１００は、空間モデルＭＤの平面領域Ｒ１に投影された画像に対応する出力画像の画像部分（例えば、路面画像である。）に影響を与えることなく、空間モデルＭＤの曲面領域Ｒ２に投影された画像に対応する出力画像の画像部分（例えば、水平画像である。）を線形的に或いは非線形的に拡大或いは縮小させることができるので、ショベル６０の近傍の路面画像（ショベル６０を真上から見たときの仮想画像）に影響を与えることなく、ショベル６０の周囲に位置する物体（ショベル６０から水平方向に周囲を見たときの画像における物体）を迅速且つ柔軟に拡大或いは縮小させることができ、ショベル６０の死角領域の視認性を向上させることができる。
【００９１】
次に、図９を参照しながら、画像生成装置１００が処理対象画像を生成する処理（以下、「処理対象画像生成処理」とする。）、及び、生成した処理対象画像を用いて出力画像を生成する処理（以下、「出力画像生成処理」とする。）について説明する。なお、図９は、処理対象画像生成処理（ステップＳ１〜ステップＳ３）及び出力画像生成処理（ステップＳ４〜ステップＳ６）の流れを示すフローチャートである。また、カメラ２（入力画像平面Ｒ４）、空間モデル（平面領域Ｒ１及び曲面領域Ｒ２）、並びに、処理対象画像平面Ｒ３の配置は予め決定されているものとする。
【００９２】
最初に、制御部１は、座標対応付け手段１０により、処理対象画像平面Ｒ３上の座標と空間モデルＭＤ上の座標とを対応付ける（ステップＳ１）。
【００９３】
具体的には、座標対応付け手段１０は、平行線群ＰＬと処理対象画像平面Ｒ３との間に形成される角度を取得し、処理対象画像平面Ｒ３上の一座標から延びる平行線群ＰＬの一つが空間モデルＭＤの曲面領域Ｒ２と交差する点を算出し、算出した点に対応する曲面領域Ｒ２上の座標を、処理対象画像平面Ｒ３上のその一座標に対応する曲面領域Ｒ２上の一座標として導き出し、その対応関係を空間モデル・処理対象画像対応マップ４１に記憶する。なお、平行線群ＰＬと処理対象画像平面Ｒ３との間に形成される角度は、記憶部４等に予め記憶された値であってもよく、入力部３を介して操作者が動的に入力する値であってもよい。
【００９４】
また、座標対応付け手段１０は、処理対象画像平面Ｒ３上の一座標が空間モデルＭＤの平面領域Ｒ１上の一座標と一致する場合には、平面領域Ｒ１上のその一座標を、処理対象画像平面Ｒ３上のその一座標に対応する一座標として導き出し、その対応関係を空間モデル・処理対象画像対応マップ４１に記憶する。
【００９５】
その後、制御部１は、座標対応付け手段１０により、上述の処理によって導き出された空間モデルＭＤ上の一座標と入力画像平面Ｒ４上の座標とを対応付ける（ステップＳ２）。
【００９６】
具体的には、座標対応付け手段１０は、通常射影（ｈ＝ｆｔａｎα）を採用するカメラ２の光学中心Ｃの座標を取得し、空間モデルＭＤ上の一座標から延びる線分であり、光学中心Ｃを通過する線分が入力画像平面Ｒ４と交差する点を算出し、算出した点に対応する入力画像平面Ｒ４上の座標を、空間モデルＭＤ上のその一座標に対応する入力画像平面Ｒ４上の一座標として導き出し、その対応関係を入力画像・空間モデル対応マップ４０に記憶する。
【００９７】
その後、制御部１は、処理対象画像平面Ｒ３上の全ての座標を空間モデルＭＤ上の座標及び入力画像平面Ｒ４上の座標に対応付けたか否かを判定し（ステップＳ３）、未だ全ての座標を対応付けていないと判定した場合には（ステップＳ３のＮＯ）、ステップＳ１及びステップＳ２の処理を繰り返すようにする。
【００９８】
一方、制御部１は、全ての座標を対応付けたと判定した場合には（ステップＳ３のＹＥＳ）、処理対象画像生成処理を終了させた上で出力画像生成処理を開始させ、出力画像生成手段１１により、処理対象画像平面Ｒ３上の座標と出力画像平面Ｒ５上の座標とを対応付ける（ステップＳ４）。
【００９９】
具体的には、出力画像生成手段１１は、処理対象画像にスケール変換、アフィン変換、又は歪曲変換を施すことによって出力画像を生成し、施したスケール変換、アフィン変換、又は歪曲変換の内容によって定まる、処理対象画像平面Ｒ３上の座標と出力画像平面Ｒ５上の座標との間の対応関係を処理対象画像・出力画像対応マップ４２に記憶する。
【０１００】
或いは、出力画像生成手段１１は、仮想カメラ２Ｖを用いて出力画像を生成する場合には、採用した射影方式に応じて処理対象画像平面Ｒ３上の座標から出力画像平面Ｒ５上の座標を算出し、その対応関係を処理対象画像・出力画像対応マップ４２に記憶するようにしてもよい。
【０１０１】
或いは、出力画像生成手段１１は、通常射影（ｈ＝ｆｔａｎα）を採用する仮想カメラ２Ｖを用いて出力画像を生成する場合には、その仮想カメラ２Ｖの光学中心ＣＶの座標を取得した上で、出力画像平面Ｒ５上の一座標から延びる線分であり、光学中心ＣＶを通過する線分が処理対象画像平面Ｒ３と交差する点を算出し、算出した点に対応する処理対象画像平面Ｒ３上の座標を、出力画像平面Ｒ５上のその一座標に対応する処理対象画像平面Ｒ３上の一座標として導き出し、その対応関係を処理対象画像・出力画像対応マップ４２に記憶するようにしてもよい。
【０１０２】
その後、制御部１は、出力画像生成手段１１により、入力画像・空間モデル対応マップ４０、空間モデル・処理対象画像対応マップ４１、及び処理対象画像・出力画像対応マップ４２を参照しながら入力画像平面Ｒ４上の座標と空間モデルＭＤ上の座標との対応関係、空間モデルＭＤ上の座標と処理対象画像平面Ｒ３上の座標との対応関係、及び処理対象画像平面Ｒ３上の座標と出力画像平面Ｒ５上の座標との対応関係を辿り、出力画像平面Ｒ５上の各座標に対応する入力画像平面Ｒ４上の座標が有する値（例えば、輝度値、色相値、彩度値等である。）を取得し、その取得した値を、対応する出力画像平面Ｒ５上の各座標の値として採用する（ステップＳ５）。なお、出力画像平面Ｒ５上の一座標に対して複数の入力画像平面Ｒ４上の複数の座標が対応する場合、出力画像生成手段１１は、それら複数の入力画像平面Ｒ４上の複数の座標のそれぞれの値に基づく統計値（例えば、平均値、最大値、最小値、中間値等である。）を導き出し、出力画像平面Ｒ５上のその一座標の値としてその統計値を採用するようにしてもよい。
【０１０３】
その後、制御部１は、出力画像平面Ｒ５上の全ての座標の値を入力画像平面Ｒ４上の座標の値に対応付けたか否かを判定し（ステップＳ６）、未だ全ての座標の値を対応付けていないと判定した場合には（ステップＳ６のＮＯ）、ステップＳ４及びステップＳ５の処理を繰り返すようにする。
【０１０４】
一方、制御部１は、全ての座標の値を対応付けたと判定した場合には（ステップＳ６のＹＥＳ）、出力画像を生成して、この一連の処理を終了させる。
【０１０５】
なお、画像生成装置１００は、処理対象画像を生成しない場合には、処理対象画像生成処理を省略し、出力画像生成処理におけるステップＳ４の"処理対象画像平面上の座標"を"空間モデル上の座標"で読み替えるものとする。
【０１０６】
以上の構成により、画像生成装置１００は、建設機械と周辺障害物との位置関係を操作者に直感的に把握させることが可能な処理対象画像及び出力画像を生成することができる。
【０１０７】
また、画像生成装置１００は、処理対象画像平面Ｒ３から空間モデルＭＤを経て入力画像平面Ｒ４に遡るように座標の対応付けを実行することにより、処理対象画像平面Ｒ３上の各座標を入力画像平面Ｒ４上の一又は複数の座標に確実に対応させることができ、入力画像平面Ｒ４から空間モデルＭＤを経て処理対象画像平面Ｒ３に至る順番で座標の対応付けを実行する場合と比べ（この場合には、入力画像平面Ｒ４上の各座標を処理対象画像平面Ｒ３上の一又は複数の座標に確実に対応させることができるが、処理対象画像平面Ｒ３上の座標の一部が、入力画像平面Ｒ４上の何れの座標にも対応付けられない場合があり、その場合にはそれら処理対象画像平面Ｒ３上の座標の一部に補間処理等を施す必要がある。）、より良質な処理対象画像を迅速に生成することができる。
【０１０８】
また、画像生成装置１００は、空間モデルＭＤの曲面領域Ｒ２に対応する画像のみを拡大或いは縮小する場合には、平行線群ＰＬと処理対象画像平面Ｒ３との間に形成される角度を変更して空間モデル・処理対象画像対応マップ４１における曲面領域Ｒ２に関連する部分のみを書き換えるだけで、入力画像・空間モデル対応マップ４０の内容を書き換えることなく、所望の拡大或いは縮小を実現させることができる。
【０１０９】
また、画像生成装置１００は、出力画像の見え方を変更する場合には、スケール変換、アフィン変換又は歪曲変換に関する各種パラメータの値を変更して処理対象画像・出力画像対応マップ４２を書き換えるだけで、入力画像・空間モデル対応マップ４０及び空間モデル・処理対象画像対応マップ４１の内容を書き換えることなく、所望の出力画像（スケール変換画像、アフィン変換画像又は歪曲変換画像）を生成することができる。
【０１１０】
同様に、画像生成装置１００は、出力画像の視点を変更する場合には、仮想カメラ２Ｖの各種パラメータの値を変更して処理対象画像・出力画像対応マップ４２を書き換えるだけで、入力画像・空間モデル対応マップ４０及び空間モデル・処理対象画像対応マップ４１の内容を書き換えることなく、所望の視点から見た出力画像（視点変換画像）を生成することができる。
【０１１１】
図１０は、ショベル６０に搭載された二台のカメラ２（右側方カメラ２Ｒ及び後方カメラ２Ｂ）の入力画像を用いて生成される出力画像を表示部５に表示させたときの表示例である。
【０１１２】
画像生成装置１００は、それら二台のカメラ２のそれぞれの入力画像を空間モデルＭＤの平面領域Ｒ１及び曲面領域Ｒ２上に投影した上で処理対象画像平面Ｒ３に再投影して処理対象画像を生成し、その生成した処理対象画像に画像変換処理（例えば、スケール変換、アフィン変換、歪曲変換、視点変換処理等である。）を施すことによって出力画像を生成して、ショベル６０の近傍を上空から見下ろした画像（平面領域Ｒ１における画像）と、ショベル６０から水平方向に周辺を見た画像（処理対象画像平面Ｒ３における画像）とを同時に表示している。
【０１１３】
なお、出力画像は、画像生成装置１００が処理対象画像を生成しない場合には、空間モデルＭＤに投影された画像に画像変換処理（例えば、視点変換処理である。）を施すことによって生成されるものとする。
【０１１４】
また、出力画像は、ショベル６０が旋回動作を行う際の画像を違和感なく表示できるよう、円形にトリミングされ、その円の中心ＣＴＲが空間モデルＭＤの円筒中心軸上で、且つ、ショベル６０の旋回軸ＰＶ上となるように生成されており、ショベル６０の旋回動作に応じてその中心ＣＴＲを軸に回転するように表示される。この場合、空間モデルＭＤの円筒中心軸は、再投影軸と一致するものであってもよく、一致しないものであってもよい。
【０１１５】
なお、空間モデルＭＤの半径は、例えば、５メートルであり、平行線群ＰＬが処理対象画像平面Ｒ３との間で形成する角度、又は、補助線群ＡＬの始点高さは、ショベル６０の旋回中心から掘削アタッチメントＥの最大到達距離（例えば１２メートルである。）だけ離れた位置に物体（例えば、作業員である。）が存在する場合にその物体が表示部５で十分大きく（例えば、７ミリメートル以上である。）表示されるように、設定され得る。
【０１１６】
更に、出力画像は、ショベル６０のＣＧ画像を、ショベル６０の前方が表示部５の画面上方と一致し、且つ、その旋回中心が中心ＣＴＲと一致するように配置するようにしてもよい。ショベル６０と出力画像に現れる物体との間の位置関係をより分かり易くするためである。なお、出力画像は、方位等の各種情報を含む額縁画像をその周囲に配置するようにしてもよい。
【０１１７】
次に、図１１〜図１６を参照しながら、画像生成装置１００が入力画像間の明るさ（輝度）の差を際立たせないようにする処理について説明する。
【０１１８】
図１１は、ショベル６０に搭載された三台のカメラ２（左側方カメラ２Ｌ、右側方カメラ２Ｒ、及び後方カメラ２Ｂ）のそれぞれの入力画像と、それら入力画像を用いて生成される出力画像とを示す図である。
【０１１９】
画像生成装置１００は、それら三台のカメラ２のそれぞれの入力画像を空間モデルＭＤの平面領域Ｒ１及び曲面領域Ｒ２上に投影した上で処理対象画像平面Ｒ３に再投影して処理対象画像を生成し、その生成した処理対象画像に画像変換処理（例えば、スケール変換、アフィン変換、歪曲変換、視点変換処理等である。）を施すことによって出力画像を生成して、ショベル６０の近傍を上空から見下ろした画像（平面領域Ｒ１における画像）と、ショベル６０から水平方向に周辺を見た画像（処理対象画像平面Ｒ３における画像）とを同時に表示している。
【０１２０】
図１１において、左側方カメラ２Ｌの入力画像及び後方カメラ２Ｂの入力画像はそれぞれ、ショベル６０の周囲における同じ場所を異なる角度から撮像した重複部分を含むが、それら重複部分はそれぞれ、各カメラに関する照明環境等の違いにより異なる明るさで撮像されており、その輝度が異なるものとなっている。右側方カメラ２Ｒの入力画像と後方カメラ２Ｂの入力画像との間の重複部分についても同様である。
【０１２１】
そのため、それら三つの入力画像に基づいて生成される出力画像は、その出力画像平面上の座標が複数の入力画像平面上の座標に対応付け可能な場合に、その出力画像平面上の座標が入射角の最も小さいカメラに関する入力画像平面上の座標に対応付けられるものとすると、同じ場所を撮像しているにもかかわらず、左側方カメラ２Ｌの入力画像に基づく出力画像上の領域と後方カメラ２Ｂの入力画像に基づく出力画像上の領域との間の境界（図の一点鎖線で囲まれる領域Ｒ６参照。）、及び、右側方カメラ２Ｒの入力画像に基づく出力画像上の領域と後方カメラ２Ｂの入力画像に基づく出力画像上の領域との間の境界（図の一点鎖線で囲まれる領域Ｒ７参照。）のところでその輝度が急激に変化することとなり、その出力画像を見た運転者に不自然さを感じさせてしまうこととなる。
【０１２２】
そこで、画像生成装置１００は、チェッカーシャドー錯視（同色錯視）による効果を利用して、入力画像間の輝度の差を際立たせないようにする。
【０１２３】
図１２は、同色錯視を説明するための図（Edward H. Adelson、"Checker shadow illusion"、１９９５年、インターネット＜URL: http://web.mit.edu/persci/people/adelson/checkershadow_illusion.html＞）であり、図１２（Ａ）は、同色錯視をもたらすために利用されるチェッカーパタン（格子模様）を示し、図１２（Ｂ）は、チェッカーパタン（格子模様）上の点Ｐ１〜点Ｐ３及び点Ｐ４〜点Ｐ６における輝度の推移を表すグラフを示す。
【０１２４】
図１２（Ａ）で示されるように、点Ｐ２を含む単位パタンの輝度よりも高い輝度を有する二つの単位パタン（点Ｐ１を含む単位パタン及び点Ｐ３を含む単位パタンである。）で挟まれたその点Ｐ２を含む単位パタンの輝度は、点Ｐ５を含む単位パタンの輝度よりも低い輝度を有する二つの単位パタン（点Ｐ４を含む単位パタン及び点Ｐ６を含む単位パタンである。）で挟まれたその点Ｐ５を含む単位パタンの輝度よりも低いように見える。
【０１２５】
しかしながら、この輝度の差は、それぞれの単位パタンが格子模様を形成していること、及び、点Ｐ４〜点Ｐ６を含む単位パタン群が物体ＯＢＪの影に入っていることを認識している観察者の錯視によるものであり、実際には、図１２（Ｂ）で示されるように、点Ｐ２を含む単位パタンの輝度は、点Ｐ５を含む単位パタンの輝度に等しいものとなっている。
【０１２６】
このように、その観察者は、点Ｐ１、点Ｐ３、及び点Ｐ５のそれぞれを含む単位パタンが同じ輝度を有し、点Ｐ２、点Ｐ４、及び点Ｐ６のそれぞれを含む単位パタンが同じ輝度を有するものと錯覚することとなる。
【０１２７】
図１３は、同色錯視をもたらす明暗パタンを生成する方法の一例を説明するための図であり、二つの波源（例えば、右側方カメラ２Ｒ及び後方カメラ２Ｂである。なお、右側方カメラ２Ｒが図の左側に示されているが、これは図の明瞭化のためであり、ここでは、図の右斜め上方が、ショベル６０の後方に対応するものとする。）から山（実線円）及び谷（破線円）を形成しながら拡がって互いに干渉する二つの波を示す。
【０１２８】
また、図１３において、二つの扇形領域２Ｒａ、２Ｂａはそれぞれ、右側方カメラ２Ｒの撮像範囲、及び、後方カメラ２Ｂの撮像範囲を示し、太い実線で表される腹線ＡＮＬは、二つの波が互いに強め合う点を連ねた線を示し、太い破線で表される節線ＮＬは、二つの波が互いに弱め合う点を連ねた線を示す。なお、腹線ＡＮＬ及び節線ＮＬは、図１３で示されるように、交互に現れることとなる。
【０１２９】
また、図１３において、右側方カメラ２Ｒを波源として拡がる波の一つの谷が描く線（破線円）と、その一つの谷の次に発生する一つの山が描く線（実線円）と、後方カメラ２Ｂを波源として拡がる波の一つの谷が描く線（破線円）と、その一つの谷の次に発生する一つの山が描く線（実線円）とで定められる菱形状の領域のそれぞれは、単位パタン領域ＬＴを形成するものとする。
【０１３０】
図１３で示される複数の単位パタン領域ＬＴが出力画像平面上に描かれたものとし、単位パタン領域ＬＴのうちの腹線ＡＮＬが通過する（灰色で塗り潰される）単位パタン領域ＬＴ１に後方カメラ２Ｂの入力画像が対応付けられ、且つ、単位パタン領域ＬＴのうちの節線ＮＬが通過する（白色で塗り潰される）単位パタン領域ＬＴ２に右側方カメラ２Ｒの入力画像が対応付けられるものとすると、平均輝度がそれぞれ異なる二つの入力画像は、同色錯視をもたらす格子模様を形成することができることとなる。
【０１３１】
なお、単位パタン領域ＬＴのうちの腹線ＡＮＬが通過する（灰色で塗り潰される）単位パタン領域ＬＴ１に右側方カメラ２Ｒの入力画像が対応付けられ、且つ、単位パタン領域ＬＴのうちの節線ＮＬが通過する（白色で塗り潰される）単位パタン領域ＬＴ２に後方カメラ２Ｂの入力画像が対応付けられる場合も同様に、平均輝度がそれぞれ異なる二つの入力画像は、同色錯視をもたらす格子模様を形成することができることとなる。
【０１３２】
また、図１３の格子模様は、波長及び位相が等しい二つの波を用いて形成されるが、波長及び位相の一方又は双方が異なる二つの波を用いて形成されてもよい。単位パタン領域ＬＴ１、ＬＴ２のサイズや形状を柔軟に調整できるようにするためである。
【０１３３】
図１４は、図１３で示される格子模様を出力画像平面（平面領域Ｒ１）上に配置した状態を示し、ショベル６０のＣＧ画像６０Ｇの右後方（図の右下方向）にある、右側方カメラ２Ｒの撮像範囲と後方カメラ２Ｂの撮像範囲との重複領域に配置される格子模様と、ショベル６０のＣＧ画像６０Ｇの左後方（図の左下方向）にある、左側方カメラ２Ｌの撮像範囲と後方カメラ２Ｂの撮像範囲との重複領域に配置される格子模様とを示す。
【０１３４】
図１４において、右側方カメラ２Ｒの撮像範囲と後方カメラ２Ｂの撮像範囲との重複領域に配置される格子模様は、例えば、（灰色で塗り潰される）単位パタン領域ＬＴ１に右側方カメラ２Ｒの入力画像が対応付けられ、（白色で塗り潰される）単位パタン領域ＬＴ２に後方カメラ２Ｂの入力画像が対応付けられるものとする。
【０１３５】
また、左側方カメラ２Ｌの撮像範囲と後方カメラ２Ｂの撮像範囲との重複領域に配置される格子模様は、例えば、（灰色で塗り潰される）単位パタン領域ＬＴ３に左側方カメラ２Ｌの入力画像が対応付けられ、（白色で塗り潰される）単位パタン領域ＬＴ４に後方カメラ２Ｂの入力画像が対応付けられるものとする。
【０１３６】
図１５は、画像生成装置１００が、二つのカメラのそれぞれの撮像範囲の重複領域に対応する出力画像平面上の各座標に、それら二つのカメラの何れか一方の入力画像平面上の座標を対応付け、同色錯視をもたらす格子模様を形成する処理（以下、「格子模様形成処理」とする。）の流れを示すフローチャートである。
【０１３７】
画像生成装置１００の制御部１は、例えば、座標対応付け手段１０により、図９の処理対象画像生成処理のステップＳ２において、空間モデルＭＤの平面領域Ｒ１上の一座標と複数の入力画像平面上の座標との対応付けが可能な場合に、空間モデルＭＤの平面領域Ｒ１上の一座標と二つのカメラのそれぞれに対応する二つの入力画像平面のうちの一つにおける一座標とを対応付ける際に、この格子模様形成処理を実行するものとする。
【０１３８】
最初に、制御部１は、二つのカメラ（例えば、右側方カメラ２Ｒ及び後方カメラ２Ｂである。）の撮像範囲が重複する領域に対応する、空間モデルＭＤの平面領域Ｒ１上の一座標を取得する（ステップＳ１１）。
【０１３９】
次に、制御部１は、二つのカメラのそれぞれにおける光学中心の座標を取得する（ステップＳ１２）。
【０１４０】
次に、制御部１は、ステップＳ１１で取得した空間モデルＭＤにおける平面領域Ｒ１上の一座標に対応付けるカメラを選択する（ステップＳ１３）。
【０１４１】
具体的には、制御部１は、右側方カメラ２Ｒの光学中心の座標を（Ｘcam1、Ｙcam1）とし、後方カメラ２Ｂの光学中心の座標を（Ｘcam2、Ｙcam2）とし、対応付けの対象である空間モデルＭＤの平面領域Ｒ１上の一座標を（Ｘtarget、Ｙtarget）とすると、
【０１４２】
【数１２】
2020002773.tif 000014
で表される条件式が真である場合、その平面領域Ｒ１上の一座標に対応付けるカメラとして右側方カメラ２Ｒを選択し、上述の条件式が偽である場合、その平面領域Ｒ１上の一座標に対応付けるカメラとして後方カメラ２Ｂを選択する。
【０１４３】
なお、制御部１は、上述の条件式が真である場合に、その平面領域Ｒ１上の一座標に対応付けるカメラとして後方カメラ２Ｂを選択し、上述の条件式が偽である場合に、その平面領域Ｒ１上の一座標に対応付けるカメラとして右側方カメラ２Ｒを選択するようにしてもよい。
【０１４４】
なお、上述の条件式は、平面領域Ｒ１上の座標（Ｘtarget、Ｙtarget）が、図１４で示される単位パタン領域ＬＴ１に含まれるか、或いは、単位パタン領域ＬＴ２に含まれるかの判定式に相当する。
【０１４５】
また、本実施例において、制御部１は、光学中心の座標が二次元座標であり、波源から発生する波が平面波であるという前提で、平面領域Ｒ１上の一座標（二次元座標）と二つのカメラのそれぞれの光学中心の座標（平面領域Ｒ１を含む平面上に投影された二次元座標）との間の二次元距離に基づいてカメラを選択するが、光学中心の座標を（高さ情報を含む）三次元座標とし、波源から発生する波を球面波としながら、平面領域Ｒ１上の一座標（三次元座標）と二つのカメラのそれぞれの光学中心の座標（三次元座標）との間の三次元距離に基づいてカメラを選択するようにしてもよい。
【０１４６】
また、本実施例において、制御部１は、二つのカメラ（例えば、右側方カメラ２Ｒ及び後方カメラ２Ｂである。）の撮像範囲が重複する領域に対応する、空間モデルＭＤの平面領域Ｒ１上の一座標に対応付けるカメラを選択しているが、二つのカメラの撮像範囲が重複する領域に対応する、処理対象画像平面Ｒ３上の一座標に対応付けるカメラを選択するようにしてもよい。
【０１４７】
この場合、制御部１は、処理対象画像平面Ｒ３上の一座標（二次元座標）と二つのカメラのそれぞれの光学中心の座標（処理対象画像平面Ｒ３を含む平面上に投影された二次元座標）との間の二次元距離に基づいてカメラを選択するようにしてもよく、処理対象画像平面Ｒ３上の一座標（三次元座標）と二つのカメラのそれぞれの光学中心の座標（三次元座標）との間の三次元距離に基づいてカメラを選択するようにしてもよい。なお、処理対象画像平面Ｒ３は、平面領域Ｒ１を含むものであってもよい。
【０１４８】
その後、制御部１は、座標対応付け手段１０により、選択したカメラの入力画像平面上の一座標と、空間モデルＭＤの平面領域Ｒ１上の一座標とを対応付け（ステップＳ１４）、空間モデルＭＤ上の座標、カメラ識別子、及び入力画像平面上の座標を関連付けて入力画像・空間モデル対応マップ４０に記憶する。
【０１４９】
その後、制御部１は、二つのカメラの撮像範囲が重複する領域に対応する、空間モデルＭＤの平面領域Ｒ１上の全ての座標を、二つのカメラのうちの一つの入力画像平面上の座標に対応付けたか否かを判定し（ステップＳ１５）、未だ全ての座標を対応付けていないと判定した場合には（ステップＳ１５のＮＯ）、ステップＳ１１〜ステップＳ１４の処理を繰り返すようにする。
【０１５０】
一方、制御部１は、全ての座標を対応付けたと判定した場合には（ステップＳ１５のＹＥＳ）、この格子模様形成処理を終了させる。
【０１５１】
なお、上述において、制御部１は、二つのカメラの撮像範囲が重複する領域に対応する、空間モデルＭＤの平面領域Ｒ１上の各座標、又は、処理対象画像平面Ｒ３上の各座標を、二つのカメラのうちの一つの入力画像平面上の座標に対応付けるようにするが、更に、二つのカメラの撮像範囲が重複する領域に対応する、空間モデルＭＤの曲面領域Ｒ２上の各座標を、二つのカメラのうちの一つの入力画像平面上の座標に対応付けるようにしてもよい。
【０１５２】
このように、制御部１は、上述のような条件式を用いて空間モデルＭＤ上の各座標を二つのカメラのうちの一つの入力画像平面上の座標に容易に対応付けることができ、適切な格子模様を生成することができる。
【０１５３】
図１６は、図１１で示される出力画像と、図１１の出力画像に同色錯視をもたらす格子模様が適用された出力画像との違いを表す対比図であり、図１６（Ａ）が図１１で示される出力画像を示し、図１６（Ｂ）が同色錯視をもたらす格子模様が適用された出力画像を示す。
【０１５４】
左側方カメラ２Ｌの入力画像に基づく出力画像上の領域と後方カメラ２Ｂの入力画像に基づく出力画像上の領域との間の境界を含む図１６（Ａ）の一点鎖線で囲まれた領域Ｒ６は、顕著な輝度の違いを提示しているが、左側方カメラ２Ｌの入力画像に基づく出力画像上の領域と後方カメラ２Ｂの入力画像に基づく出力画像上の領域とが格子模様となって混在する図１６（Ｂ）の一点鎖線で囲まれた領域Ｒ８は、その輝度の違いが目立たなくなっており、その領域Ｒ８を含む出力画像を見た運転者に不自然さを感じさせ難くしている。
【０１５５】
同様に、右側方カメラ２Ｒの入力画像に基づく出力画像上の領域と後方カメラ２Ｂの入力画像に基づく出力画像上の領域との間の境界を含む図１６（Ａ）の一点鎖線で囲まれた領域Ｒ７は、顕著な輝度の違いを提示しているが、右側方カメラ２Ｒの入力画像に基づく出力画像上の領域と後方カメラ２Ｂの入力画像に基づく出力画像上の領域とが格子模様となって混在する図１６（Ｂ）の一点鎖線で囲まれた領域Ｒ９は、その輝度の違いが目立たなくなっており、その領域Ｒ９を含む出力画像を見た運転者に不自然さを感じさせ難くしている。
【０１５６】
次に、図１７〜図１９を参照しながら、画像生成装置１００が、二つのカメラのそれぞれの撮像範囲の重複領域に対応する出力画像部分を生成する際にその出力画像部分にある物体が消失するのを防止する処理について説明する。
【０１５７】
図１７は、ショベル６０に搭載された三台のカメラ２（左側方カメラ２Ｌ、右側方カメラ２Ｒ、及び後方カメラ２Ｂ）のそれぞれの入力画像と、それら入力画像を用いて生成される出力画像とを示す図である。
【０１５８】
画像生成装置１００は、それら三台のカメラ２のそれぞれの入力画像平面上の座標を空間モデルＭＤの平面領域Ｒ１及び曲面領域Ｒ２上の座標に投影した上で処理対象画像平面Ｒ３に再投影して処理対象画像を生成し、その生成した処理対象画像に画像変換処理（例えば、スケール変換、アフィン変換、歪曲変換、視点変換処理等である。）を施すことによって出力画像を生成して、ショベル６０の近傍を上空から見下ろした画像（平面領域Ｒ１における画像）と、ショベル６０から水平方向に周辺を見た画像（処理対象画像平面Ｒ３における画像）とを表示している。
【０１５９】
図１７において、右側方カメラ２Ｒの入力画像、及び、後方カメラ２Ｂの入力画像はそれぞれ、右側方カメラ２Ｒの撮像範囲と後方カメラ２Ｂの撮像範囲との重複領域内に人物（右側方カメラ２Ｒの入力画像における二点鎖線で囲まれる領域Ｒ１０、及び、後方カメラ２Ｂの入力画像における二点鎖線で囲まれる領域Ｒ１１参照。）を捉えている。
【０１６０】
しかしながら、それら右側方カメラ２Ｒの入力画像、及び、後方カメラ２Ｂの入力画像に基づいて生成される出力画像は、その出力画像平面上の座標が入射角の最も小さいカメラに関する入力画像平面上の座標に対応付けられるものとすると、図１７で示されるように、その重複領域内の人物を消失させてしまうこととなる（出力画像内の一点鎖線で囲まれる領域Ｒ１２参照。）。
【０１６１】
そこで、画像生成装置１００は、同色錯視をもたらすために形成される格子模様を利用して、二つのカメラのそれぞれの撮像範囲の重複領域に対応する出力画像部分を生成する際にその出力画像部分にある物体が消失するのを防止するものとする。
【０１６２】
図１８は、二つのカメラのそれぞれの撮像範囲の重複領域における物体の消失防止効果を説明するための図であり、図１８（Ａ）は、図１３で示される同色錯視をもたらすための格子模様を形成するための波の図を示し、図１８（Ｂ）は、図１８（Ａ）の一部拡大図を示す。
【０１６３】
図１８（Ａ）において、破線で囲まれる投影像ＰＲＪ１は、後方カメラ２Ｂの入力画像における物体ＯＢＪ１の像が、路面画像を生成するための視点変換によって、その後方カメラ２Ｂとその物体ＯＢＪ１とを結ぶ線の延長方向に伸長されたもの（後方カメラ２Ｂの入力画像を用いてその出力画像部分における路面画像を生成した場合に表示される像である。）を表す。
【０１６４】
また、破線で囲まれる投影像ＰＲＪ２は、右側方カメラ２Ｒの入力画像における物体ＯＢＪ１の像が、路面画像を生成するための視点変換によって、その右側方カメラ２Ｒとその物体ＯＢＪ１とを結ぶ線の延長方向に伸長されたもの（右側方カメラ２Ｒの入力画像を用いてその出力画像部分における路面画像を生成した場合に表示される像である。）を表す。
【０１６５】
なお、投影像ＰＲＪ１及び投影像ＰＲＪ２は、最終的な出力画像上にそのままの状態で表示されることはなく、図１８（Ｂ）で示されるように、一部が切り欠かれた状態で表示されることとなる。
【０１６６】
また、図１８（Ａ）において、投影像ＰＲＪ１を表す破線領域のうち、灰色で塗り潰された部分は、腹線ＡＮＬが通過する単位パタン領域ＬＴ１（図１３参照。）との重なり部分を表し、その重なり部分に対応する出力画像上の各座標には後方カメラ２Ｂの入力画像平面上の座標（物体ＯＢＪ１の像を形成する領域内の座標）が対応付けられることを示す。
【０１６７】
一方、投影像ＰＲＪ１を表す破線領域のうち、白色で塗り潰された部分は、節線ＮＬが通過する単位パタン領域ＬＴ２（図１３参照。）との重なり部分を表し、その重なり部分に対応する出力画像上の各座標には右側方カメラ２Ｒの入力画像平面上の座標（物体ＯＢＪ１の像を形成しない領域内の座標）が対応付けられることを示す。
【０１６８】
なお、投影像ＰＲＪ１を表す破線領域のうち、灰色で塗り潰された部分に対応する出力画像上の各座標に、右側方カメラ２Ｒの入力画像平面上の座標（物体ＯＢＪ１の像を形成しない領域内の座標）が対応付けられ、投影像ＰＲＪ１を表す破線領域のうち、白色で塗り潰された部分に対応する出力画像上の各座標に、後方カメラ２Ｂの入力画像平面上の座標（物体ＯＢＪ１の像を形成する領域内の座標）が対応付けられるようにしてもよい。
【０１６９】
この場合、投影像ＰＲＪ１は、図１８（Ｂ）で示されるように、その伸長方向に直交する円（後方カメラ２Ｂの位置を波源とする波の山及び谷が描く円である。）の一部をその境界線として含む単位パタン領域ＬＴ２によって切り欠かれることとなるが、隣接する単位パタン領域ＬＴ１が互いに頂点を接触させているので繊切り状に分断され難く、単位パタン領域ＬＴ２のそれぞれがその伸長方向に直交する円の一部を含むため、その輪郭も認識され易いはっきりした状態で保存されることとなる。
【０１７０】
また、投影像ＰＲＪ１は、物体ＯＢＪ１の高さが高い程、カメラから遠ざかる方向により長く伸長され、且つ、カメラから遠ざかる程、より大きく拡大される傾向を有するが、単位パタン領域ＬＴ１及びＬＴ２は何れもカメラから遠ざかる程、その投影像ＰＲＪ１と同じ度合いで、より大きく拡大していくので、その切り欠き状態もほぼ均一に維持されることとなる。
【０１７１】
また、図１８（Ａ）において、投影像ＰＲＪ２を表す破線領域のうち、黒色で塗り潰された部分は、節線ＮＬが通過する単位パタン領域ＬＴ２（図１３参照。）との重なり部分を表し、その重なり部分に対応する出力画像上の各座標には右側方カメラ２Ｒの入力画像平面上の座標（物体ＯＢＪ１の像を形成する領域内の座標）が対応付けられることを示す。
【０１７２】
一方、投影像ＰＲＪ２を表す破線領域のうち、白色で塗り潰された部分は、腹線ＡＮＬが通過する単位パタン領域ＬＴ１（図１３参照。）との重なり部分を表し、その重なり部分に対応する出力画像上の各座標には後方カメラ２Ｂの入力画像平面上の座標（物体ＯＢＪ１の像を形成しない領域内の座標）が対応付けられることを示す。
【０１７３】
なお、投影像ＰＲＪ２を表す破線領域のうち、黒色で塗り潰された部分に対応する出力画像上の各座標に後方カメラ２Ｂの入力画像平面上の座標（物体ＯＢＪ１の像を形成しない領域内の座標）が対応付けられ、投影像ＰＲＪ２を表す破線領域のうち、白色で塗り潰された部分に対応する出力画像上の各座標に右側方カメラ２Ｒの入力画像平面上の座標（物体ＯＢＪ１の像を形成する領域内の座標）が対応付けられるようにしてもよい。
【０１７４】
この場合、投影像ＰＲＪ２は、投影像ＰＲＪ１と同様に、図１８（Ｂ）で示されるように、その伸長方向に直交する円（右側方カメラ２Ｒの位置を波源とする波の山及び谷が描く円である。）の一部をその境界線として含む単位パタン領域ＬＴ１によって切り欠かれることとなるが、隣接する単位パタン領域ＬＴ２が互いに頂点を接触させているので繊切り状に分断され難く、単位パタン領域ＬＴ１のそれぞれがその伸長方向に直交する円の一部を含むため、その輪郭も認識され易いはっきりした状態で保存されることとなる。
【０１７５】
また、投影像ＰＲＪ２は、投影像ＰＲＪ１と同様に、物体ＯＢＪ１の高さが高い程、カメラから遠ざかる方向により長く伸長され、且つ、カメラから遠ざかる程、より大きく拡大される傾向を有するが、単位パタン領域ＬＴ１及びＬＴ２は何れもカメラから遠ざかる程、その投影像ＰＲＪ２と同じ度合いで、より大きく拡大していくので、その切り欠き状態もほぼ均一に維持されることとなる。
【０１７６】
図１９は、図１７で示される出力画像と、図１７の出力画像に同色錯視をもたらす格子模様が適用された出力画像との違いを表す対比図であり、図１９（Ａ）が図１７で示される出力画像を示し、図１９（Ｂ）が同色錯視をもたらす格子模様が適用された出力画像を示す。
【０１７７】
右側方カメラ２Ｒの入力画像に基づく出力画像上の領域と後方カメラ２Ｂの入力画像に基づく出力画像上の領域との間の境界を含む図１９（Ａ）の一点鎖線で囲まれた領域Ｒ１３は、人物が消失した状態を提示しているが、右側方カメラ２Ｒの入力画像に基づく出力画像上の領域と後方カメラ２Ｂの入力画像に基づく出力画像上の領域とが格子模様となって混在する図１９（Ｂ）の一点鎖線で囲まれた領域Ｒ１４は、人物を消失させることなく、その人物を認識し易い状態で提示し、その領域Ｒ１４を含む出力画像を見た運転者にその人物の存在を確実に認識させることができるようにしている。
【０１７８】
以上の構成により、画像生成装置１００は、同色錯視をもたらすための格子模様を利用することにより、二つのカメラのそれぞれの撮像範囲の重複領域に対応する出力画像部分を生成する際にその出力画像部分にある物体が消失するのを防止することができ、二つの入力画像のそれぞれの部分領域が櫛歯状に交互に配置されるように二つの入力画像を繋ぎ合わせる場合に比べ、その一部が切り欠かれることとなるその物体の投影像を、運転者がより認識し易い状態で表示することができる。
【０１７９】
以上、本発明の好ましい実施例について詳説したが、本発明は、上述した実施例に制限されることはなく、本発明の範囲を逸脱することなしに上述した実施例に種々の変形及び置換を加えることができる。
【０１８０】
例えば、上述の実施例において、画像生成装置１００は、空間モデルとして円筒状の空間モデルＭＤを採用するが、多角柱等の他の柱状の形状を有する空間モデルを採用してもよく、底面及び側面の二面から構成される空間モデルを採用してもよく、或いは、側面のみを有する空間モデルを採用してもよい。
【０１８１】
また、画像生成装置１００は、バケット、アーム、ブーム、旋回機構等の可動部材を備えながら自走する建設機械にカメラと共に搭載され、周囲画像をその運転者に提示しながらその建設機械の移動及びそれら可動部材の操作を支援する操作支援システムに組み込まれているが、産業用機械若しくは固定式クレーン等のように可動部材を有するが自走はしない他の被操作体にカメラと共に搭載され、それら他の被操作体の操作を支援する操作支援システムに組み入れられてもよい。
【符号の説明】
【０１８２】
１・・・制御部  ２・・・カメラ  ２Ｌ・・・左側方カメラ  ２Ｒ・・右側方カメラ  ２Ｂ・・後方カメラ  ３・・・入力部  ４・・・記憶部  ５・・・表示部  １０・・・座標対応付け手段  １１・・・出力画像生成手段  ４０・・・入力画像・空間モデル対応マップ  ４１・・・空間モデル・処理対象画像対応マップ  ４２・・・処理対象画像・出力画像対応マップ  ６０・・・ショベル  ６１・・・下部走行体  ６２・・・旋回機構  ６３・・・上部旋回体  ６４・・・キャブ
【図１】
2020002773.tif 000015
【図２】
2020002773.tif 000016
【図３】
2020002773.tif 000017
【図４】
2020002773.tif 000018
【図５】
2020002773.tif 000019
【図６】
2020002773.tif 000020
【図７】
2020002773.tif 000021
【図８】
2020002773.tif 000022
【図９】
2020002773.tif 000023
【図１０】
2020002773.tif 000024
【図１１】
2020002773.tif 000025
【図１２】
2020002773.tif 000026
【図１３】
2020002773.tif 000027
【図１４】
2020002773.tif 000028
【図１５】
2020002773.tif 000029
【図１６】
2020002773.tif 000030
【図１７】
2020002773.tif 000031
【図１８】
2020002773.tif 000032
【図１９】
2020002773.tif 000033